(57)【特許請求の範囲】
【請求項１】
所定のトラックパターンにＰＡＬ又はＳＥＣＡＭのテレビジョン方式による映像及び音声信号が標準の動作態様に対して長時間の動作態様によって記録されたテープ状磁気記録媒体が巻き付けられた回転ドラムに搭載された磁気ヘッドにより前記テープ状磁気記録媒体を走査し、再生映像信号を得るヘリカルスキャン型の磁気再生装置の特殊再生方法において、
標準の再生動作に対して高速再生するために前記テープ状磁気記録媒体を（８ｎ＋５）倍速（ｎは整数）で走行させ、
前記再生映像信号を、
前記テープ状磁気記録媒体の走行速度に応じて、前記回転ドラムが取り付けられたドラムベース及び、前記テープ状磁気記録媒体の前記回転ドラムへの巻き付け位置を案内するリードリングを夫々可動して前記磁気ヘッドの走査軌跡と、前記トラックパターンとを一致させると共に、前記トラックパターンに対応したフィールド単位で再生される信号を連続した信号として再生するための磁気ヘッドのスイッチング動作を行う際、再生された色信号を低域変換された状態で１水平期間遅延させて得ることを特徴とする磁気再生装置の特殊再生方法。
【請求項２】
所定のトラックパターンにＰＡＬ又はＳＥＣＡＭのテレビジョン方式による映像及び音声信号が標準の動作態様に対して長時間の動作態様によって記録されたテープ状磁気記録媒体が巻き付けられた回転ドラムに搭載された磁気ヘッドにより前記テープ状磁気記録媒体を走査し、再生映像信号を得るヘリカルスキャン型の磁気再生装置において、
標準の再生動作に対して高速再生するために前記テープ状磁気記録媒体を（８ｎ＋１）倍速、（８ｎ＋５）倍速あるいは（４ｎ＋３）倍速（ｎは整数）で走行させ、前記テープ状磁気記録媒体の走行速度に応じて、前記回転ドラムが取り付けられたドラムベース及び、前記テープ状磁気記録媒体の前記回転ドラムへの巻き付け位置を案内するリードリングを夫々可動して前記磁気ヘッドの走査軌跡と、前記トラックパターンとを一致させ、前記トラックパターンに対応したフィールド単位で再生される信号を連続した信号として再生するための磁気ヘッドのスイッチング動作を行う際、再生された色信号を低域変換された状態で１水平期間遅延し、再生された映像信号を０．５水平期間遅延することにより再生映像信号を得ることを特徴とする磁気再生装置の特殊再生方法。
【請求項３】
所定のトラックパターンにＰＡＬ又はＳＥＣＡＭのテレビジョン方式による映像及び音声信号が標準の動作態様に対して長時間の動作態様によって記録されたテープ状磁気記録媒体が巻き付けられた回転ドラムに搭載された磁気ヘッドにより前記テープ状磁気記録媒体を走査し、記録された信号を再生するヘリカルスキャン型の磁気再生装置において、
標準の再生動作に対して高速再生するために前記テープ状磁気記録媒体を（８ｎ＋５）倍速（ｎは整数）で走行させる走行手段と、
前記テープ状磁気記録媒体の走行速度に応じて、前記回転ドラムが取り付けられたドラムベース及び、前記テープ状磁気記録媒体の前記回転ドラムへの巻き付け位置を案内するリードリングを夫々可動して前記磁気ヘッドの走査軌跡と、前記トラックパターンとを一致させる可動手段と、
前記トラックパターンに対応したフィールド単位で再生される信号を連続した信号として再生するための磁気ヘッドのスイッチング動作を行う際、再生された色信号を低域変換された状態で１水平期間遅延して出力する遅延手段と、を備えたことを特徴とする磁気再生装置。
【請求項４】
所定のトラックパターンにＰＡＬ又はＳＥＣＡＭのテレビジョン方式による映像及び音声信号が長時間の動作態様によって記録されたテープ状磁気記録媒体の走行速度に応じて、回転ドラムが取り付けられたドラムベース及び、前記テープ状磁気記録媒体の前記回転ドラムへの巻き付け位置を案内するリードリングを夫々可動して前記回転ドラムに搭載された磁気ヘッドの走査軌跡と、前記テープ状磁気記録媒体のトラックパターンとを一致させる可動手段を有するヘリカルスキャン型の磁気再生装置にて再生された色信号の線順次性を補正する遅延手段を備えた色信号補正回路において、
前記磁気再生装置の高速再生動作によって再生された色信号の線順次性を補正するため、前記した遅延手段は、再生された色信号を低域変換された状態で１Ｈ遅延することを特徴とする色信号補正回路。
【請求項５】
所定のトラックパターンにＰＡＬ又はＳＥＣＡＭのテレビジョン方式による映像及び音声信号が長時間の動作態様によって記録されたテープ状磁気記録媒体の走行速度に応じて、回転ドラムが取り付けられたドラムベース及び、前記テープ状磁気記録媒体の前記回転ドラムへの巻き付け位置を案内するリードリングを夫々可動して前記回転ドラムに搭載された磁気ヘッドの走査軌跡と、前記テープ状磁気記録媒体のトラックパターンとを一致させる可動手段を有するヘリカルスキャン型の磁気再生装置にて再生された色信号の線順次性を補正する色信号補正回路において、
前記テープ状磁気記録媒体に記録されたＳＥＣＡＭ方式のテレビジョン信号を前記磁気再生装置にて高速再生するとき、低域に変換されたＰＡＬ方式の色信号のクロストークを除去するための櫛形フィルタを構成する遅延手段によって前記ＳＥＣＡＭ方式の色信号を低域変換された状態で１水平期間遅延し、色信号の線順次性を補正することを特徴とする色信号補正回路。
【請求項６】
所定のトラックパターンにＰＡＬ又はＳＥＣＡＭのテレビジョン方式による映像及び音声信号が長時間の動作態様によって記録されたテープ状磁気記録媒体の走行速度に応じて、回転ドラムが取り付けられたドラムベース及び、前記テープ状磁気記録媒体の前記回転ドラムへの巻き付け位置を案内するリードリングを夫々可動して前記回転ドラムに搭載された磁気ヘッドの走査軌跡と、前記テープ状磁気記録媒体のトラックパターンとを一致させ、再生された信号から低域に変換された色信号を周波数変換する第１の変換手段と、前記低域に変換された色信号の内ＰＡＬ方式の色信号のクロストークを除去する櫛形フィルタと、前記櫛形フィルタからの色信号を周波数変換する第２の変換手段とを備えたヘリカルスキャン型の磁気再生装置にて再生された色信号の線順次性を補正する色信号補正回路において、
前記テープ状磁気記録媒体に記録されたＳＥＣＡＭ方式のテレビジョン信号を前記磁気再生装置にて高速再生するとき、前記櫛形フィルタを構成する遅延手段によって再生された色信号を低域変換された状態で１水平期間遅延しＳＥＣＡＭ方式の色信号処理手段に切り換え出力することにより、色信号の線順次性を補正することを特徴とする色信号補正回路。
【発明の詳細な説明】
【０００１】
【発明の属する技術分野】
本発明は、ＰＡＬ又はＳＥＣＡＭのテレビジョン方式の映像信号を、標準の動作態様に対し長時間の動作態様にて記録したテープ状磁気記録媒体を高速再生するヘルカルスキャン型ＶＴＲにおいて、色信号を正しく再生し、スキュー歪みのないノイズレスの再生画像を得る磁気再生装置に関する。
【０００２】
【従来の技術】
テープ状磁気記録媒体（以下、「磁気テープ」という）が巻き付けられた回転ドラムに搭載された磁気ヘッドによりこの磁気テープを走査し、所定のトラックパターンを形成しながら映像及び音声信号を記録し、更にこれを再生する周知のヘリカルスキャン型ＶＴＲがある。こうしたＶＴＲでは、所定の回転数で一定に回転する回転ドラムに対して磁気テープを標準の走行速度で走行させ、上記した記録再生を行う標準の動作態様（標準モード）と、これに対して磁気テープを長時間の走行速度で走行させ、上記した記録再生を行う長時間の動作態様（長時間モード）とがあり、これらのモードを選択的に切り換えることにより、テープの走行速度を可変し映像信号を標準の時間あるいは長時間、記録再生することができる。また上記したＶＴＲにおいて、映像信号が記録された磁気テープを早送りしたり、巻き戻したりしながら信号再生を行う高速再生、あるいは磁気テープの走行を一時的に停止し、上記したトラックパターンのうち、任意の１つを繰り返し走査する静止画像再生等の特殊再生を行うことができる。
【０００３】
特に、高速再生について、磁気ヘッドが磁気テープ上を走査したときの走査軌跡は、図９に示すように、トラックパターンを複数跨るようにして得られる。一般的なＶＴＲにおいて、回転ドラム上には180°対向した位置にアジマス角度の異なるヘッド対が取り付けられているので、磁気ヘッドが隣り合うトラックパターンを跨るとその磁気ヘッドと異なるアジマス角度（逆アジマス）で信号が記録されているトラック上は信号が得られず、ノイズとなって再生画面上に現れる（いわゆる再生画面上のノイズバー）。
【０００４】
これに対し、特殊再生時に回転ドラムの回転中心軸を傾斜させると共に磁気テープの下端を案内する案内部（リード）を変位させる機構を持つＶＴＲがあり、これによって図１０に示すように磁気ヘッドの走査軌跡とトラックパターンとを一致させるものがある。磁気ヘッドの走査軌跡がトラックパターンと一致するため、再生画面上に上記したノイズバーは現れない。またこのとき同図に示すように、磁気ヘッドはいくつかのトラックを飛び越しながらトラックパターンを走査する。
【０００５】
具体的には、リードの機能を従来のＶＴＲのロアドラム（回転ドラムを支持するための構成）から切り離し、リードリングという特別な部品として設けている。このリードリングは４カ所に突起を持ち、標準モードではこの突起をロアドラムの下面に当てて正確な位置を保つ。
図１５に示すように、標準モードのリードリングの状態は圧縮バネによって常にロアドラムの底部に押しつけられる。そしてリードリングを動かすときは押しねじｂを用いる。この押しねじｂは、ドラムベースを突き抜けてリードリングと有効ねじ部でかみ合っており、押しねじｂの回転によってロアドラムとリードリングとの距離が広がる。即ち、ドラムに対するリードの相対位置が制御される。同図において、ドラムを右に傾けるときは左の押しねじｂを回転させ、ドラムを左に傾けるときは右の押しねじｂを回転させる。
【０００６】
さて、ＰＡＬ方式のテレビジョン信号を上記した長時間モードにより記録した場合、図１１（Ａ）に示すようなトラックパターンが得られる。
ここで、ＰＡＬ方式のテレビジョン信号は走査線数625本／50フィールド方式であり、４フィールドシーケンスパターンでテープ上に記録される（同図▲１▼〜▲４▼）。各シーケンスパターンは１つのトラックに夫々対応している。
【０００７】
同図（Ｂ）に示すように、テープ端付近を拡大した夫々のトラックパターンは隣接トラックで０．７５Ｈのずれがあり（例えば、トラックＡとＢ，トラックＢとＣ）、同一アジマスのトラック（例えば、トラックＡとＣ）で１Ｈ毎の信号情報（ライン情報；第１の走査線情報から第625の走査線情報まで）が０．５Ｈずれている。このライン情報のずれによって各ライン情報の水平同期信号のタイミングが０．５Ｈずれるため、トラックジャンプ（磁気ヘッドが逆アジマスのトラックを跨ぐこと）毎に再生画面上にスキューが発生する。このずれは上記したトラックジャンプの前後で０．５Ｈずつ累積されて、例えば、２回のトラックジャンプで１Ｈのずれとなる。
【０００８】
また、上記した映像信号がＰＡＬ方式では色信号のＲ−Ｙ軸の位相が１Ｈ（水平期間）毎に反転して伝送され、ＳＥＣＡＭ方式ではＦＭ変調された色信号成分（色差信号）が１Ｈおきに伝送されるという線順次性の性質を有しており（例えば、図１１（Ｂ）においてライン情報の色信号の位相を＋，−で表す）、上記したライン情報の１Ｈのずれによって色信号が正しく再生されず再生画面上で色相の反転や色消えの問題があった。
【０００９】
ＰＡＬ又はＳＥＣＡＭのテレビジョン方式のように線順次性を持つ映像信号を磁気テープに記録したトラックパターンを示す図１１において、トラック▲１▼には第１ラインの情報から第313ラインの情報までが記録され、第１ラインの色信号の位相を＋で表すと、第２ライン以下−、第３ライン＋、…と極性が交互に変わる。トラック▲２▼には色信号の位相の極性＋の第313ラインの情報から第625ライン（−）の情報までが記録される。トラック▲３▼には第１ラインの情報（−）で、第313ライン（＋）まで記録され、トラック▲４▼には第313ラインの情報（−）で、第625ライン（−）まで記録される。
【００１０】
特殊再生時、磁気ヘッドがトラック▲１▼を再生した後はトラック▲２▼もしくは▲４▼に移行する。これは、上述したように回転ドラム30上に 180°対向した位置にアジマス角度の異なるヘッド対を取り付けた関係により、一方の回転ヘッドがトラック▲１▼を再生した後はそれとは逆アジマスのヘッドがトラック▲２▼又は▲４▼を走査する（トラック▲３▼は逆アジマスヘッドでは再生されない）場合を説明している。
【００１１】
トラック▲１▼から▲２▼へ移行するときは、図１１の場合、（４ｎ＋１）倍速の特殊再生となる（ｎは整数）。上述したように、トラックパターンは４フィールドシーケンスパターンにより倍速再生は４の倍数毎に変化し、更にトラック▲１▼から▲２▼へ移行するときは隣のトラックに移行するので＋１となる。
【００１２】
またこのとき回転ドラムは再生された水平同期信号に合わせて回転するため、高速再生時はトラックを速く再生し、逆のスロー再生時はトラックを遅く再生するので、得られる１フィールド当たりのライン情報の数が変化する。上記した特殊再生時のライン数の増減を考えないときはトラック▲１▼から▲２▼を走査する際のヘッドの切換えによって信号の流れは図１３（Ａ）のようになる。また、上記した特殊再生時のライン数が１Ｈ増えるときは同じ状態による信号の流れは同図（Ｂ）のようになる。同様に、上記した特殊再生時のライン数が２Ｈ、１．５Ｈ増えるときは同じ状態による信号の流れは夫々同図（Ｃ），（Ｄ）のようになる。
【００１３】
図１３においてトラック▲１▼を走査したときの信号のタイミングと線順次性（上記した色信号の位相の極性の＋，−で表示）とを考えた場合、同図（Ｂ）においては線順次性がずれてしまい、同図（Ｄ）においてはライン情報のずれから水平同期のタイミングがずれてしまうのがわかる。
【００１４】
トラック▲１▼から▲４▼へ移行するときは、図１１から（４ｎ＋３）倍速の特殊再生となる（ｎは整数）。上記した特殊再生時のライン数の増減を考えないときはトラック▲１▼から▲４▼を走査する際のヘッドの切換えによって信号の流れは図１４（Ａ）のようになる。また、上記した特殊再生時のライン数が１Ｈ増えるときは同じ状態による信号の流れは同図（Ｂ）のようになる。同様に、上記した特殊再生時のライン数が２Ｈ、１．５Ｈ増えるときは同じ状態による信号の流れは夫々同図（Ｃ），（Ｄ）のようになる。
【００１５】
図１３，図１４において、線順次性がずれると色信号成分が正しく再生されないので再生画面上は輝度のみの色が消えた信号が再生されてしまい（色消え）、水平同期がずれると画面上にスキュー歪みが発生する。即ち、増減するライン数が０．５Ｈ分の端数を含んでいるとスキュー歪みを生じ、更に増減するライン数が奇数、偶数であるかによって線順次性がずれたりずれなかったりする。言い換えれば、（４ｎ＋１）倍速の特殊再生時、増減するライン数が偶数の時、線順次性は維持され、（４ｎ＋３）倍速の特殊再生時、増減するライン数が奇数の時、線順次性は維持される。
【００１６】
こうした、特殊再生の速度によって走査される１フィールド当たりのライン数が変化することによるスキューや再生画面の色の問題を解決するため、出願人は、磁気ヘッドの走査軌跡をトラックパターンに一致させるため回転ドラムの回転中心軸を傾斜させると共に磁気テープの下端を案内する案内部を変位させ、更にヘッド切換えのタイミングに応じて色信号の位相を反転させるＶＴＲとして特願平７−３４７３４１号に記載された磁気記録再生装置を提案した。
【００１７】
上記した磁気記録再生装置において、スキューや再生画面の色の問題を解決するためには、再生された映像信号にスキューが発生していることや再生された色信号の線順次性を検出することが不可欠となる。このときこの装置の再生系のブロックは図１２に示すように、高速再生時に回転ヘッドからの再生信号に所定の再生信号処理を施す信号処理回路10と、信号処理回路10からの再生映像信号の色信号の線順次性を検出する検出回路11と信号処理回路10からの再生映像信号において高速再生時にトラックジャンプを行うことによって水平同期信号のタイミングがずれたことを検出するスキュー検出回路12と、夫々の検出回路によって検出されたタイミングで再生映像信号を遅延する遅延回路８，９とから構成される。上記したライン情報のずれに伴う色信号の線順次性のずれは図１２の１Ｈ遅延回路80によって補正され、更に上記したスキュー歪みの原因となる水平同期信号のタイミングは同図の０．５Ｈ遅延回路90によって補正される。
【００１８】
【発明が解決しようとする課題】
上記した倍速再生時において、色信号の線順次性のずれと、スキュー歪みの発生する関係とがはっきりしており、上記した磁気記録再生装置で用いた線順次性検出回路／スキュー検出回路がなくても特定の倍速再生時に色信号の線順次性のずれあるいはスキュー歪みが発生することがわかるので、そのときのみ色信号の線順次性のずれとスキュー歪みとを補正すればよい。
即ち、特定の倍速再生のみに応じた色信号の線順次性のずれとスキュー歪みの補正を行うことによりこれら検出回路を夫々省略することができる。
【００１９】
ここで、上記した特殊再生時と線順次性の関係は実際のＶＴＲでは表１のような関係になっており、ＶＴＲの標準モードでは磁気テープの走行速度に応じて上記したように増減するライン数が奇数、偶数と交互に変わるが、長時間モードの場合ではこれに加え、増減するライン数が０．５Ｈ分の端数を含む場合が交互に現れる。
【００２０】
【表１】
0003806992.tif 000002
【００２１】
更に詳しくは、長時間モードにおいて（４ｎ＋１）倍速の特殊再生時は、ｎが偶数のとき（再生速度が-15，−７，１，９，17倍の時）増減するライン数は偶数となり、スキュー、線順次性の反転は起こらない。ｎが奇数のとき（再生速度が-19，-11，−３，５，13倍の時）増減するライン数は奇数となり、線順次性の反転が起こる。また、（４ｎ＋３）倍速の特殊再生時（再生速度が-17，-13，−９，−５，−１，３，７，11，19倍の時）は、ライン数の増減に０．５Ｈの端数がつくのでスキューによる歪みが発生する。この歪みは上記したように磁気ヘッドの切換えの度に発生し、累積されるので線順次性の反転に影響する。
【００２２】
そこで、長時間モードによって記録された磁気テープの特殊再生を行う場合、特定の倍速再生によって、上記したスキュー歪み、又は線順次性の反転が発生するタイミングが決まることを利用して、図１２に示すスキュー検出回路、再生された色信号の線順次性を検出する検出回路がなくてもこのスキュー歪み、又は線順次性の反転を補正することができる磁気再生装置を提供する。
【００２３】
【課題を解決するための手段】
本発明は上記した課題を解決するため以下の構成を提供する。
【００２４】
（１）第１の発明は、所定のトラックパターンにＰＡＬ又はＳＥＣＡＭのテレビジョン方式による映像及び音声信号が標準の動作態様に対して長時間の動作態様によって記録されたテープ状磁気記録媒体が巻き付けられた回転ドラムに搭載された磁気ヘッドにより前記テープ状磁気記録媒体を走査し、再生映像信号を得るヘリカルスキャン型の磁気再生装置の特殊再生方法において、
標準の再生動作に対して高速再生するために前記テープ状磁気記録媒体を（８ｎ＋５）倍速（ｎは整数）で走行させ、前記再生映像信号を、前記テープ状磁気記録媒体の走行速度に応じて、前記回転ドラムが取り付けられたドラムベース及び、前記テープ状磁気記録媒体の前記回転ドラムへの巻き付け位置を案内するリードリングを夫々可動して前記磁気ヘッドの走査軌跡と、前記トラックパターンとを一致させると共に、前記トラックパターンに対応したフィールド単位で再生される信号を連続した信号として再生するための磁気ヘッドのスイッチング動作を行う際、再生された色信号を低域変換された状態で１水平期間遅延させて得ることを特徴とする磁気再生装置の特殊再生方法を提供する。
【００２５】
（２）第２の発明は、所定のトラックパターンにＰＡＬ又はＳＥＣＡＭのテレビジョン方式による映像及び音声信号が標準の動作態様に対して長時間の動作態様によって記録されたテープ状磁気記録媒体が巻き付けられた回転ドラムに搭載された磁気ヘッドにより前記テープ状磁気記録媒体を走査し、記録された信号を再生するヘリカルスキャン型の磁気再生装置において、
標準の再生動作に対して高速再生するために前記テープ状磁気記録媒体を（８ｎ＋１）倍速、（８ｎ＋５）倍速あるいは（４ｎ＋３）倍速（ｎは整数）で走行させ、前記テープ状磁気記録媒体の走行速度に応じて、前記回転ドラムが取り付けられたドラムベース及び、前記テープ状磁気記録媒体の前記回転ドラムへの巻き付け位置を案内するリードリングを夫々可動して前記磁気ヘッドの走査軌跡と、前記トラックパターンとを一致させ、前記トラックパターンに対応したフィールド単位で再生される信号を連続した信号として再生するための磁気ヘッドのスイッチング動作を行う際、再生された色信号を低域変換された状態で１水平期間遅延し、再生された映像信号を０．５水平期間遅延することにより再生映像信号を得ることを特徴とする磁気再生装置の特殊再生方法を提供する。
【００２６】
（３）第３の発明は、所定のトラックパターンにＰＡＬ又はＳＥＣＡＭのテレビジョン方式による映像及び音声信号が標準の動作態様に対して長時間の動作態様によって記録されたテープ状磁気記録媒体が巻き付けられた回転ドラムに搭載された磁気ヘッドにより前記テープ状磁気記録媒体を走査し、記録された信号を再生するヘリカルスキャン型の磁気再生装置において、
標準の再生動作に対して高速再生するために前記テープ状磁気記録媒体を（８ｎ＋５）倍速（ｎは整数）で走行させる走行手段と、前記テープ状磁気記録媒体の走行速度に応じて、前記回転ドラムが取り付けられたドラムベース及び、前記テープ状磁気記録媒体の前記回転ドラムへの巻き付け位置を案内するリードリングを夫々可動して前記磁気ヘッドの走査軌跡と、前記トラックパターンとを一致させる可動手段と、前記トラックパターンに対応したフィールド単位で再生される信号を連続した信号として再生するための磁気ヘッドのスイッチング動作を行う際、再生された色信号を低域変換された状態で１水平期間遅延して出力する遅延手段と、を備えたことを特徴とする磁気再生装置を提供する。
【００２７】
（４）第４の発明は、所定のトラックパターンにＰＡＬ又はＳＥＣＡＭのテレビジョン方式による映像及び音声信号が長時間の動作態様によって記録されたテープ状磁気記録媒体の走行速度に応じて、回転ドラムが取り付けられたドラムベース及び、前記テープ状磁気記録媒体の前記回転ドラムへの巻き付け位置を案内するリードリングを夫々可動して前記回転ドラムに搭載された磁気ヘッドの走査軌跡と、前記テープ状磁気記録媒体のトラックパターンとを一致させる可動手段を有するヘリカルスキャン型の磁気再生装置にて再生された色信号の線順次性を補正する遅延手段を備えた色信号補正回路において、
前記磁気再生装置の高速再生動作によって再生された色信号の線順次性を補正するため、前記した遅延手段は、再生された色信号を低域変換された状態で１Ｈ遅延することを特徴とする色信号補正回路を提供する。
【００２８】
（５）第５の発明は、所定のトラックパターンにＰＡＬ又はＳＥＣＡＭのテレビジョン方式による映像及び音声信号が長時間の動作態様によって記録されたテープ状磁気記録媒体の走行速度に応じて、回転ドラムが取り付けられたドラムベース及び、前記テープ状磁気記録媒体の前記回転ドラムへの巻き付け位置を案内するリードリングを夫々可動して前記回転ドラムに搭載された磁気ヘッドの走査軌跡と、前記テープ状磁気記録媒体のトラックパターンとを一致させる可動手段を有するヘリカルスキャン型の磁気再生装置にて再生された色信号の線順次性を補正する色信号補正回路において、
前記テープ状磁気記録媒体に記録されたＳＥＣＡＭ方式のテレビジョン信号を前記磁気再生装置にて高速再生するとき、低域に変換されたＰＡＬ方式の色信号のクロストークを除去するための櫛形フィルタを構成する遅延手段によって前記ＳＥＣＡＭ方式の色信号を低域変換された状態で１水平期間遅延し、色信号の線順次性を補正することを特徴とする色信号補正回路を提供する。
【００２９】
（６）第６の発明は、所定のトラックパターンにＰＡＬ又はＳＥＣＡＭのテレビジョン方式による映像及び音声信号が長時間の動作態様によって記録されたテープ状磁気記録媒体の走行速度に応じて、回転ドラムが取り付けられたドラムベース及び、前記テープ状磁気記録媒体の前記回転ドラムへの巻き付け位置を案内するリードリングを夫々可動して前記回転ドラムに搭載された磁気ヘッドの走査軌跡と、前記テープ状磁気記録媒体のトラックパターンとを一致させ、再生された信号から低域に変換された色信号を周波数変換する第１の変換手段と、前記低域に変換された色信号の内ＰＡＬ方式の色信号のクロストークを除去する櫛形フィルタと、前記櫛形フィルタからの色信号を周波数変換する第２の変換手段とを備えたヘリカルスキャン型の磁気再生装置にて再生された色信号の線順次性を補正する色信号補正回路において、
前記テープ状磁気記録媒体に記録されたＳＥＣＡＭ方式のテレビジョン信号を前記磁気再生装置にて高速再生するとき、前記櫛形フィルタを構成する遅延手段によって再生された色信号を低域変換された状態で１水平期間遅延しＳＥＣＡＭ方式の色信号処理手段に切り換え出力することにより、色信号の線順次性を補正することを特徴とする色信号補正回路を提供する。
【００３７】
【発明の実施の形態】
図１は本発明の磁気再生装置の第１実施例を説明する図、図２は本発明の磁気再生装置の第２実施例を説明する図、図３は本発明の磁気再生装置の第３実施例を説明する図、図４は第３実施例のその他の構成を説明する図、図５は本発明の磁気再生装置の第４実施例を説明する図、図６は本発明の磁気再生装置の第５実施例を説明する図、図７は本発明の磁気再生装置の第６実施例を説明する図、図８は第６実施例のその他の構成を説明する図、図１６は本発明の色信号補正回路の一の実施の形態を説明するブロック図、図１７及び図１８は本発明の色信号補正回路のその他の実施の形態を説明するブロック図、図１９はＮＴＳＣ方式の映像信号の簡易再生を説明するための図、図２０及び図２１は本発明の色信号補正回路のその他の実施の形態を説明するブロック図である。
以下、図面を参照しながら本発明の実施の形態を説明する。
尚、同じ構成には同一符号を付し、重複する説明を省略する。
【００３８】
本発明の磁気再生装置は、ヘリカルスキャン型ＶＴＲにおいて、ＰＡＬ又はＳＥＣＡＭのテレビジョン方式による映像信号を、標準の動作モードに対して長時間の記録再生を行う動作モードによって記録された磁気テープの特殊再生を行う際、特定の倍速再生において上記したスキュー、色信号の線順次性の補正を行うことによって、上記したスキュー検出回路、又は再生された色信号の線順次性を検出する検出回路を省略した構成においても良好な再生画像を得るものである。その具体的構成を第１実施例から説明する。
【００３９】
（第１実施例）
本実施例による磁気再生装置を図１に示す。本磁気再生装置は、ＰＡＬ又はＳＥＣＡＭのテレビジョン方式による映像信号が上記した長時間モードによって記録された磁気テープＴが巻き付けられる回転ドラム30と、回転ドラム30上に搭載される磁気ヘッドVHと、この回転ドラムが取り付けられたドラムベース31と、磁気テープＴの回転ドラム30への巻き付け位置を案内するリードリング32とからなる機構部と、磁気テープＴを走行させる走行回路１と、機構部と走行回路１を制御するＣＰＵ２と、磁気ヘッドVHから再生された信号に所定の信号処理を施して輝度信号と色信号とを夫々再生復調する輝度信号処理回路４及び色信号処理回路５と、輝度信号処理回路４からの再生輝度信号と、色信号処理回路５からの再生色信号とを夫々周波数多重して複合（コンポジット）映像信号を生成出力するＹ／Ｃ混合器６とからなる。
尚、ここでは図示しないが、本磁気再生装置では、磁気ヘッドから再生された信号に所定の信号処理を施して音声信号を再生する音声信号処理回路を持つものとする。
【００４０】
通常の再生動作で磁気テープＴから信号を再生しているとき、図示しない操作部において特殊再生動作を指示すると、指示信号がＣＰＵに供給され、この指示信号に基づいてＣＰＵ２から制御信号2a,2bが走行回路１及び機構部に夫々供給される。走行回路１はキャプスタンモータなど、磁気テープＴを走行させるための駆動部を備え、供給された制御信号2aに基づいて磁気テープＴを通常の走行速度から所定の特殊走行速度に切り換えて走行させる。
【００４１】
機構部は供給された制御信号2bに基づいて機構部を構成するドラムベース31とリードリング32とを可動させ、回転ドラム30の回転軸を変位させることにより、磁気ヘッドVHが磁気テープ上の所定のトラックパターンを走査するように走査軌跡を補正する。こうして図１０に示すように、特殊再生時に磁気ヘッドVHの走査軌跡をトラックパターンに一致させることができる。即ち、高速再生時に発生していた再生画面上のノイズバーを防ぐことができる。このとき走行回路１は通常の再生動作における磁気テープの走行速度に対して（８ｎ＋１）倍の速度（ｎは整数）で磁気テープを走行させる。
【００４２】
上記したように、（４ｎ＋１）倍速の特殊再生時においてｎが偶数（（２ｍ）；ｍは整数）のとき増減するライン情報は偶数となり、上記したスキュー歪み、線順次性の反転は起こらない。即ち、（４ｎ＋１）はｎが偶数（２ｍ）のとき、（８ｍ＋１）と表すことができるので、磁気テープの倍速再生は（８ｎ＋１）倍の速度ということになる。また、ｎが奇数のとき（同様にして（８ｎ＋５）倍の速度）は、ヘッドの切り換えによって線順次性が反転するため色信号の位相に影響を与える。更に、（４ｎ＋３）倍速の場合は、上記したように、増減するライン情報に０．５Ｈ分の端数が現れるのでスキュー歪みが現れ、色信号の線順次性にも影響を与える（上記した色消え等）。表２に夫々の倍速時のスキュー、線順次性の状態を表す。
【００４３】
【表２】
0003806992.tif 000003
【００４４】
こうして再生された信号は夫々輝度信号処理回路４と色信号処理回路５とに供給され、輝度信号処理回路４は周波数変調された輝度信号を復調し、色信号処理回路５は低域変換された色信号を復元する。夫々の処理回路４，５からの再生輝度信号及び再生色信号はＹ／Ｃ混合器６に供給され、周波数多重された後、複合映像信号として出力される。
【００４５】
（第２実施例）
図２に示すように、本実施例では上記した第１実施例の磁気再生装置に対して色信号処理回路５からの色信号を補正する補正回路７を追加したものであり、この補正回路７によって第１実施例では補正できなかった（８ｎ＋５）倍速再生時の色信号の位相を補正するものである。この補正回路７は再生された色信号のＲ−Ｙ軸の位相を反転する反転回路70と反転回路70からの反転色信号と、再生された色信号とを夫々切換え出力する切換回路71とから構成される。
【００４６】
（８ｎ＋１）倍速再生を行うときは、第１実施例で述べたように、特殊再生時に増減するライン数が偶数となるので、スキュー、又は色信号の線順次性の反転は起こらない。（８ｎ＋５）倍速再生を行うときは、ヘッドの切り換えによって線順次性が反転するため、色信号成分（例えば、色差信号のＲ−Ｙ）が反転した状態で色信号処理回路５から出力される。この再生色信号の出力は反転回路70及び切換回路71に夫々供給され、反転回路70は復元された色信号のＲ−Ｙ軸の成分を反転出力する。切換回路71はヘッドの切換えのタイミングに応じて反転回路70からの反転色信号を切換え出力するので、色信号の線順次性が維持される。
【００４７】
こうして切換回路71からの色信号と、輝度信号処理回路４からの再生輝度信号とがＹ／Ｃ混合器６において周波数多重され、複合映像信号が出力される。ここで、上記した補正回路７はＰＡＬ方式の映像信号には有効であるが、変調された色差信号を１Ｈおきに伝送するＳＥＣＡＭ方式の映像信号には、そのまま有効とはならない。また、（４ｎ＋３）倍速再生を行うときは、第１実施例と同様にライン数の増減に０．５Ｈの端数が現れるのでスキューによる歪みが発生する。表３に夫々の倍速時のスキュー、線順次性の状態を表す。
【００４８】
【表３】
0003806992.tif 000004
【００４９】
（第３実施例）
図３に示すように、本実施例では上記した第１実施例の磁気再生装置に対して色信号再生処理回路５からの色信号を補正する補正回路８を追加したものであり、この補正回路８によって第２実施例では補正できなかった（８ｎ＋５）倍速再生時のＳＥＣＡＭ方式の色信号の補正を行うものである。この補正回路８は再生された色信号を１Ｈ遅延する遅延回路80と遅延回路80からの遅延色信号と、再生された色信号とを夫々切換え出力する切換回路81とから構成される。
【００５０】
（８ｎ＋５）倍速再生を行うときは、ヘッドの切り換えによって線順次性が反転した色信号が復元される。色信号処理回路５からの再生色信号は１Ｈ遅延回路80及び切換回路81に夫々供給され、１Ｈ遅延回路80は再生色信号を１Ｈ遅延出力することによりずれた線順次性を戻す。１Ｈ遅延回路80からの遅延色信号は切換回路81に供給され、ヘッドの切換えのタイミングに応じてＹ／Ｃ混合器６に供給される。以下、上記した実施例と同様にＹ／Ｃ混合器６から複合映像信号が出力される。その他の倍速再生の場合は第２実施例と同様である。表４に夫々の倍速時のスキュー、線順次性の状態を表す。
【００５１】
【表４】
0003806992.tif 000005
【００５２】
尚、上記した遅延回路80は、例えば、ＰＡＬ又はＳＥＣＡＭ方式のいずれの映像信号の特殊再生を行うときでも用いることができるのは勿論である。
【００５３】
尚、図４に示すように、上記した補正回路８をＹ／Ｃ混合器６の後段に接続しても同様の効果を得ることができる。
【００５４】
（第４実施例）
図５に示すように、本実施例では図４に示した第３実施例の補正回路８の代わりに補正回路９を追加したものであり、第１実施例〜第３実施例において補正することができなかった（４ｎ＋３）倍速再生時のスキュー歪みを補正するものである。
【００５５】
この補正回路９はＹ／Ｃ混合器６からの複合映像信号を０．５Ｈ遅延する遅延回路90と、遅延回路90からの遅延映像信号と複合映像信号とを切換え出力する切換回路91とから構成される。上述したと同様に（８ｎ＋１）倍速再生時にはスキュー歪みと色信号の線順次性のずれは発生しないが、（８ｎ＋５）倍速再生時の映像信号の線順次性が１Ｈ毎にずれていることに対して遅延回路90でこれを補正することはできない。しかし、上記した各実施例において全く補正できなかった（４ｎ＋３）倍速再生時のスキュー歪みを補正することができる（但し、この場合も、色信号の線順次性のズレは補正されないので再生画面は色が消えた状態で輝度のみの再生（白黒画像）となる）。表５に夫々の倍速時のスキュー、線順次性の状態を表す。
【００５６】
【表５】
0003806992.tif 000006
【００５７】
（第５実施例）
図６に示すように、本磁気再生装置は上記した第４実施例に第２実施例の補正回路７を追加したものであり、上記した第４実施例で改善されなかったＰＡＬ方式の映像信号の色信号の線順次性を補正するものである。即ち、補正回路７によってＰＡＬ方式において１Ｈ毎に位相が反転して伝送される色信号の位相を補正し、補正回路９によって（４ｎ＋３）倍速再生時に発生していたスキュー歪みを補正することができる。
【００５８】
本実施例では各倍速再生において少なくともＰＡＬ方式の映像信号のスキュー歪みと色信号の線順次性とを補正することができる。表６に夫々の倍速時のスキュー、線順次性の状態を表す。
【００５９】
【表６】
0003806992.tif 000007
【００６０】
（第６実施例）
図７に示すように、本磁気再生装置は上記した第３実施例に補正回路９を追加したものであり、（８ｎ＋１），（８ｎ＋５），（４ｎ＋３）倍速再生時の夫々において、スキュー歪み及び色信号の線順次性を改善するものである。即ち、上記した第３実施例において改善されなかった（４ｎ＋３）倍速再生時のスキュー歪みを補正回路９によって補正し、夫々の倍速再生において色信号の線順次性及びスキュー歪みを改善した。
【００６１】
各倍速再生時の色信号の線順次性は、再生された色信号が補正回路８において１Ｈ遅延されることにより補正される。そして、（４ｎ＋３）倍速再生時に磁気ヘッドの切り替えタイミングにおいてライン情報が０．５Ｈずれる場合は、補正回路９によってこのライン情報のずれを補正するので、このときに生じるスキュー歪みを改善することができる。
【００６２】
尚、図８に示すように、上記した第３実施例同様、補正回路８はＹ／Ｃ混合器６の後段に設け、補正回路８の出力を補正回路９によって０．５Ｈ遅延させることによってヘッド切換え時のスキュー歪みを補正してもよいことは勿論である。表７に夫々の倍速時のスキュー、線順次性の状態を表す。
【００６３】
【表７】
0003806992.tif 000008
【００６４】
さてここで、上記したようにＰＡＬ又はＳＥＣＡＭのテレビジョン方式の映像信号を記録したＶＴＲによって、特殊再生時（特に高速再生）の色信号の線順次性を補正するときの具体的な色信号補正について説明する。
【００６５】
上記した遅延回路80を現実に構成する場合、例えば、ＣＣＤ遅延回路を用いることが考えられる。この場合ＣＣＤ遅延回路の遅延時間は、（サンプリングクロックの逆数）×（ＣＣＤの段数）で決定される。このときクロック周波数は遅延する信号の最大周波数の２倍以上でなければならないので、信号周波数が高いとクロック周波数を高くし、ＣＣＤの段数を増やさないと所定の遅延時間を得ることができない。色信号の副搬送波周波数が低域周波数と同じ信号帯域幅であると仮定し、例えば、信号伝送帯域幅が副搬送波周波数±500kHzであるとすると、ＰＡＬ又はＳＥＣＡＭ方式の信号は共に最大約５MHzの信号を遅延させなければならず、クロック周波数は１０MHz以上でなければならない。すると、１Ｈ期間（64μsec）遅延に必要なＣＣＤの段数は64μsec×１０MHz＝６４０段となる。
【００６６】
ここで、低域変換された状態の色信号を遅延すればクロック周波数を低く設定可能であり、ＣＣＤの段数も少なくすることができる。
低域周波数にて遅延回路を用いるとき、同一の伝送帯域でＰＡＬ方式の低域変換色信号は最大1.2MHz、ＳＥＣＡＭ方式の低域変換色信号は最大1.6MHzであり、クロック周波数は3.2MHzとなる。従って、１Ｈ期間遅延に必要なＣＣＤの段数は64μsec×3.2MHz＝２０５段となる。
【００６７】
実際に、通常はＶＴＲではＣＣＤのクロック周波数は副搬送波周波数の整数倍に設定されるので、映像信号の色信号ではＰＡＬの副搬送波周波数で３倍以上のクロック周波数のＣＣＤが必要となるが、低域変換色信号ではＰＡＬの副搬送波周波数のクロック周波数のＣＣＤを用いることができるので段数では前者の１／３で済む。
【００６８】
そこで、本発明なる色信号補正回路では、図１６に示すように、色信号補正回路ＡをＰＡＬ又はＳＥＣＡＭ方式の色信号処理回路５の前段に設け、再生された色信号が低域変換された状態でその線順次性を補正する。
同図において、上述のように磁気テープＴを走査した磁気ヘッドVHからの再生信号は図示しないバンドパスフィルタによってＦＭ変調輝度信号及び低域変換色信号とに分離され、輝度信号処理回路４及び色信号処理回路５に夫々供給される。ここで、例えば、色信号処理回路５はＰＡＬ方式対応あるいはＳＥＣＡＭ方式対応、更にはＰＡＬ／ＳＥＣＡＭ方式両方に対応するものいずれであってもよい。
【００６９】
上記した色信号補正回路Ａは遅延回路100と切換スイッチSW1とから構成され、供給された低域変換色信号を１Ｈ遅延することによって色信号の線順次性を補正し、補正した低域変換色信号を色信号処理回路５に供給し、周波数変換と後述するクロストーク除去がなされた後、Ｙ／Ｃ混合器６において、輝度信号処理回路４からの再生輝度信号と合成される。
【００７０】
ところで、通常ＶＴＲでは磁気ヘッドより再生された信号に含まれるクロストーク成分を遅延回路を備えた櫛形フィルタを用いて打ち消す処理を行っている。記録時、磁気テープ上には１Ｈ毎に色信号の位相を90°シフトしてこれを記録していく（いわゆるＰＳ記録方式;Phase Shift）。そして再生時は櫛形フィルタの１Ｈ遅延回路によって遅延された再生色信号とそのままの再生色信号とを加算することにより、色信号のクロストーク成分のみが打ち消される。この櫛形フィルタは通常のＶＴＲの色信号処理には欠かせないものであり、再生復調された色信号は輝度信号と周波数多重される直前でこの櫛形フィルタによってクロストークの除去がなされる。
【００７１】
ここで、ＮＴＳＣ方式のテレビジョン信号の場合は上記したＰＳ記録方式によって色信号のクロストークの位相が１Ｈおきに反転した状態にすることができるので、上記した櫛形フィルタは１Ｈ遅延回路を備えていれば、そのまま再生された色信号と１Ｈ遅延された再生色信号とを加算してクロストーク成分のみを除去することができるが、ＰＡＬ方式のテレビジョン信号の場合は１Ｈ毎に色差信号（（Ｒ−Ｙ）軸）の位相を180°反転して伝送しているので、上記した櫛形フィルタは２Ｈ遅延回路を必要とする。
【００７２】
またここで、ＳＥＣＡＭ方式のテレビジョン信号は色差信号を副搬送波のＦＭ変調により伝送するもので、ＰＡＬ方式の信号処理と共用の信号処理系を用いてＳＥＣＡＭ方式の信号を記録再生するＶＴＲにおいてはＳＥＣＡＭ方式の色信号は４分周して低域周波数領域に記録されるので、櫛形フィルタを用いるものではない。更に、ＳＥＣＡＭ方式とＰＡＬ方式と共通の信号処理系を用いて映像信号を再生するＶＴＲがある。そこで、ＰＡＬ方式の色信号のための櫛形フィルタの遅延回路を用いて、再生されたＳＥＣＡＭ方式の色信号の色信号補正を行えば、新たな遅延回路を用いることなく効率の良い処理を行うことができる。即ち、ＳＥＣＡＭ方式のテレビジョン信号を再生するときはＰＡＬ方式のテレビジョン信号の再生に用いられる櫛形フィルタを色信号補正用の遅延回路として用いる。
【００７３】
本発明の色信号補正回路の実施の形態を図１７に示すに、再生された信号から低域変換色信号を分離する、あるいは低域変換色信号成分に対して余分なＦＭ周波数成分をカットするＬＰＦ101、分離された低域変換色信号を周波数変換する変換回路105、変換回路105の出力をＯＮ／ＯＦＦするスイッチSW4、上記低域変換色信号を遅延する１Ｈ遅延回路102,103、遅延回路102,103の出力を夫々切り換えるスイッチSW2、上記した低域変換色信号とスイッチSW2の出力とを切換出力するスイッチSW3、スイッチSW3の出力を周波数変換する変換回路104、変換回路104の出力をＯＮ／ＯＦＦするスイッチSW5、スイッチSW4,SW5の出力を加算する加算器106、加算器106の出力する色信号の雑音除去を行うＢＰＦ（バンドパスフィルタ）107とから構成される。ここで、図１７中の色信号補正回路Ａ１は上記した色信号補正回路Ａに相当するものである。
【００７４】
上記したＰＡＬ方式の信号処理と共用の信号処理系を用いてＳＥＣＡＭ方式の信号を記録再生するＶＴＲにおいて再生されるＳＥＣＡＭ方式の信号を便宜上ＭＥＳＥＣＡＭ方式の信号とすると、このＭＥＳＥＣＡＭ方式の色信号補正を行うときは、スイッチSW4をＯＦＦにしてスイッチSW5をＯＮの状態にする。再生された低域変換色信号はＬＰＦ101から遅延回路102及びスイッチSW3に夫々供給される。
【００７５】
このときスイッチSW2は遅延回路102の出力をスイッチSW3へ供給し、スイッチSW3は遅延された色信号を変換回路104に供給することにより遅延された色信号が周波数変換されてスイッチSW5を介して加算器106に供給され、ＢＰＦ107を介してＹ／Ｃ混合器６へ供給されるので、上記したようにその線順次性が補正された色信号が復調された輝度信号と周波数多重されて色信号の補正されたビデオ（映像）信号を得ることができる。
【００７６】
通常の再生信号を再生するとき（色信号の補正が必要ないとき）はスイッチSW3は低域変換色信号を変換回路104に供給することにより色信号を遅延出力することがない。ここで、ＬＰＦ101からの低域変換色信号をスイッチSW3、変換回路104及びスイッチSW5を介して伝送する経路と、変換回路105及びスイッチSW4を介して伝送する経路とは実質的な相違はないが、例えば、ＭＥＳＥＣＡＭ方式の色信号を処理するときはスイッチSW5をＯＮにした経路（つまり前者の経路）で処理すればスイッチSW2,SW3の切り換え制御のみにより色信号補正ができる。即ち、変換回路105及びスイッチSW4の伝送経路をＯＦＦにしておくことで制御すべきスイッチをスイッチSW2,SW3のみにして簡易な制御を行うことができる。
【００７７】
これに対し、例えば、ＰＡＬ方式の色信号を処理するときはスイッチSW4をＯＮにしてスイッチSW2,SW3が遅延回路103の出力を変換回路104及びスイッチSW5を介して加算器106へ供給するようにすれば、遅延回路102,103は櫛形フィルタとして動作しＰＡＬ方式の再生色信号のクロストーク除去を行うことができる。但し、この場合遅延回路102,103は櫛形フィルタとして使われるのでＰＡＬ方式の色信号の補正を行うことはできない。
【００７８】
上記したＭＥＳＥＣＡＭ方式の信号処理ではＰＡＬ方式の信号処理を共用することを述べたが、ＳＥＣＡＭ方式の信号処理系を独立に備えても良い。例えば、図１８に示すように、上記した図１７の色信号処理系に対してスイッチSW6及びＳＥＣＡＭ色信号処理回路51（例えば、上記した色信号処理回路５を構成する）を追加する。通常のＳＥＣＡＭ方式の色信号を処理するときはスイッチSW3はＬＰＦ101の出力を信号処理回路51に供給することでＳＥＣＡＭ方式の色信号を復調し、スイッチSW6によって再生復調された色信号をＹ／Ｃ混合器６へ供給することができる。このときスイッチSW4,SW5はＯＦＦとなる。
【００７９】
また、特殊再生時のＳＥＣＡＭ方式の色信号の補正を行うときは、上記したように、ＰＡＬ方式の色信号のクロストーク除去に用いられる遅延回路102の出力をスイッチSW2,SW3によって信号処理回路51へ供給することにより、色信号を遅延出力してその線順次性を補正することができる。
【００８０】
さて、ＰＡＬ方式の映像信号を記録再生するＶＴＲには、上記したようにＳＥＣＡＭ方式の映像信号を処理するものからＮＴＳＣ方式の信号を擬似的にＰＡＬ方式の映像信号に変換して出力する簡易再生機能を有するものがある。こうしたＶＴＲにおいて、ＮＴＳＣ方式の映像信号が記録された磁気テープから再生信号を得て、ＮＴＳＣ方式の水平同期信号数の数及びフィールド周波数をそのまま再生し、色信号副搬送波周波数を3.58MHzから4.43MHz（正確には4.43361875MHz）に変更し、色信号をＰＡＬ方式に変換する。ＮＴＳＣ方式の色信号の位相は図１９（Ａ）▲１▼のようになっている。
【００８１】
これをＰＡＬ方式に変換する方法は、図１９に示すように、(1)色信号のバースト位相を45°遅らせる（同図（Ａ）▲２▼）、(2)Ｒ−Ｙ軸を反転させる（同図（Ａ）▲３▼）、(3)(1)と(2)で得た信号を１Ｈ毎に切り換え出力するもので、この場合、上記した櫛形フィルタはＮＴＳＣ方式の信号に対応して１Ｈ遅延回路を構成するものが用いられる。同図（Ｂ）に回路ブロックを示すに、上記(1)の位相シフトを移相回路111aで行い、上記(2)のＲ−Ｙ軸反転を反転回路111bで行う。そしてスイッチSW111cによって上記(3)の処理を行う。
【００８２】
上記したＮＴＳＣ方式の映像信号の簡易再生機能を持つＶＴＲで、上記したようなＳＥＣＡＭ方式の色信号補正を行う色信号処理系を図２０に示す。図２０の色信号補正回路Ａ２は図１８の色信号補正回路Ａ１に対してＬＰＦ102からの低域変換色信号を夫々遅延するためのＰＡＬ方式対応の２Ｈ遅延回路108及びＮＴＳＣ方式対応の１Ｈ遅延回路109として、ＰＡＬ又はＮＴＳＣ方式の遅延量の違いを補正するイコライザ110を追加し、色信号処理系ではＢＰＦ107からの色信号を最終的に上記した色信号変換によって疑似ＰＡＬ方式の色信号に変換するための変換回路111とを追加したものである。このとき変換回路111は上記した図１９（Ｂ）のような構成を持つものとする。
【００８３】
即ち、上記した色信号補正回路Ａ２において、追加の遅延回路を用いずに色信号を補正するためには、ＰＡＬ方式に対応した２Ｈ遅延回路108及びＮＴＳＣ方式に対応した１Ｈ遅延回路109いずれかを利用する必要がある。ここで、ＰＡＬ／ＳＥＣＡＭ方式のテレビジョン信号では１Ｈ64μsecであり、この２Ｈ遅延回路108の遅延時間は64μsec×２、１Ｈ遅延回路109の遅延時間は63.5μsecである。そこで、64μsecの遅延時間を得るためイコライザ110を用いる（遅延回路108の遅延時間を半分にするよりはイコライザ110を用いて遅延回路109の遅延出力を更に0.5μsec遅延させる方が現実的である）。
【００８４】
こうして、ＮＴＳＣ方式の映像信号の簡易再生機能を持つＶＴＲにおいてＳＥＣＡＭ方式の色信号の線順次を補正するとき、スイッチSW2は遅延回路109からの遅延出力をイコライザ110を介してスイッチSW3に供給する。スイッチSW3は補正色信号をＳＥＣＡＭ色信号処理回路51に供給し、この処理回路51において所定の色信号復調処理によって補正色信号が復調され、スイッチSW6へ供給される。スイッチSW6はＳＥＣＡＭ方式の色信号処理回路51からの出力をＹ／Ｃ混合器６に切換え出力する。ＰＡＬ又はＮＴＳＣ方式の色信号を再生するときは変換回路111からの出力をＹ／Ｃ混合器６へ切換え出力する。
【００８５】
尚、例えば、ＬＰＦ101も所定の遅延量を持っており、その遅延量を上記した0.5μsecに設定あるいは0.5μsecの遅延量を持つＬＰＦを用いれば上記したイコライザ111を省略することができるのは勿論である。
また、図２１に示すように、２Ｈ遅延回路108の代わりにＰＡＬ方式対応の１Ｈ遅延回路112,113を夫々備えれば上記したイコライザ111を省略することができるのは勿論である。即ち、ＳＥＣＡＭ方式の色信号を補正するときはスイッチSW7（スイッチSW7は遅延回路109,112,113夫々の出力を切り換えるものである）によって遅延回路112の出力をスイッチSW3に切換え出力すればよい。ＮＴＳＣ方式の簡易再生（通常の再生）のときは遅延回路109の出力をスイッチSW3に切換え出力し、スイッチSW5をＯＮにしてスイッチSW6を変換回路111の出力側に切り換える。また、ＰＡＬ方式の通常再生時は遅延回路113の出力をスイッチSW3に切換え出力し、同様にスイッチSW5をＯＮにしてスイッチSW6を変換回路111の出力側に切り換えることによって夫々の遅延回路112,113を櫛形フィルタとして用いるのは言うまでもない。
【００８６】
こうして、本発明なる色信号補正回路によれば、ＰＡＬ方式の色信号処理と共通の処理回路を用いるＶＴＲにおいて、あるいはその中でＮＴＳＣ方式の映像信号を簡易に再生する機能を持つＶＴＲにおいて、ＰＡＬ方式又はＮＴＳＣ方式の色信号処理に用いられる櫛形フィルタを構成する遅延回路を用いてＳＥＣＡＭ方式の色信号補正を行うことができるので、構成を追加することなく、しかも簡易な制御によって特殊再生時のＳＥＣＡＭ方式の色信号の線順次性を補正することができる。
【００８７】
【発明の効果】
上述したように、本発明によれば、特殊再生時に回転ヘッドの走査軌跡とトラックパターンとを一致させることができるＶＴＲにおいて、所定のトラックパターンにＰＡＬ又はＳＥＣＡＭのテレビジョン方式による映像及び音声信号が記録されたテープ状磁気記録媒体を（８ｎ＋１）倍速で再生することにより、再生画面上のスキュー歪みと、色信号の位相反転による色消えを防止することができるので、この倍速再生時においては常に良好な再生画像を得ることができるという効果がある。
【００８８】
また、本発明によれば、上述した効果に加え、特定のテープ状磁気記録媒体の走行速度に応じて、回転ヘッドの切り換えタイミングによって色信号の位相を反転したり（ＰＡＬ方式のテレビジョン信号）、１Ｈ遅延することにより再生映像信号の線順次性を補正したり（（８ｎ＋５），（４ｎ＋３）倍速再生時）、再生映像信号の水平同期信号のタイミングを補正することにより（（４ｎ＋３）倍速再生時）、従来必要であった色信号の線順次性検出、あるいは水平同期信号のタイミングを夫々検出する回路を省略した簡易な構成によって、高速再生時に確実に再生画面上のスキュー歪みと、色信号の位相反転による色消えを防止することが可能となり、常に良好な再生画像を得ることができるという効果がある。
【００８９】
更に、本発明によれば、上述した効果に加え、ＰＡＬ方式の色信号処理と共通の処理回路を用いるＶＴＲにおいて、あるいはその中でＮＴＳＣ方式の映像信号を簡易に再生する機能を持つＶＴＲにおいて、ＰＡＬ方式又はＮＴＳＣ方式の色信号処理に用いられる櫛形フィルタを構成する遅延回路を用いてＳＥＣＡＭ方式の色信号補正を行うことができるので、構成を追加することなく、しかも簡易な制御によって特殊再生時のＳＥＣＡＭ方式の色信号の線順次性を補正することができる。
【図面の簡単な説明】
【図１】本発明の磁気再生装置の第１実施例を説明する図である。
【図２】本発明の磁気再生装置の第２実施例を説明する図である。
【図３】本発明の磁気再生装置の第３実施例を説明する図である。
【図４】第３実施例のその他の構成を説明する図である。
【図５】本発明の磁気再生装置の第４実施例を説明する図である。
【図６】本発明の磁気再生装置の第５実施例を説明する図である。
【図７】本発明の磁気再生装置の第６実施例を説明する図である。
【図８】第６実施例のその他の構成を説明する図である。
【図９】従来の高速再生時の磁気ヘッドの走査軌跡を説明する図である。
【図１０】高速再生時に磁気ヘッドの走査軌跡とトラックパターンとが一致した状態を説明する図である。
【図１１】トラックパターン上のライン情報を説明する図である。
【図１２】従来の磁気記録再生装置の再生系を説明する図である。
【図１３】磁気ヘッドの切り換えタイミングにおける映像信号の線順次性とスキュー歪みの発生を説明する図である。
【図１４】磁気ヘッドの切り換えタイミングにおける映像信号の線順次性とスキュー歪みの発生を説明する図である。
【図１５】磁気ヘッドの走査軌跡とトラックパターンとを一致させるドラムの機構を説明する図である。
【図１６】本発明の色信号補正回路の一の実施の形態を説明するブロック図である。
【図１７】本発明の色信号補正回路のその他の実施の形態を説明するブロック図である。
【図１８】本発明の色信号補正回路のその他の実施の形態を説明するブロック図である。
【図１９】ＮＴＳＣ方式の映像信号の簡易再生を説明するための図である。
【図２０】本発明の色信号補正回路のその他の実施の形態を説明するブロック図である。
【図２１】本発明の色信号補正回路のその他の実施の形態を説明するブロック図である。
【符号の説明】
Ｔ…磁気テープ、３０…回転ドラム、ＶＨ…磁気ヘッド、１…走行手段、３１…ドラムベース（可動手段）、３２…リードリング（可動手段）、７…反転手段８，９…遅延手段。
【図１】
0003806992.tif 000009
【図２】
0003806992.tif 000010
【図３】
0003806992.tif 000011
【図４】
0003806992.tif 000012
【図５】
0003806992.tif 000013
【図６】
0003806992.tif 000014
【図７】
0003806992.tif 000015
【図８】
0003806992.tif 000016
【図９】
0003806992.tif 000017
【図１０】
0003806992.tif 000018
【図１１】
0003806992.tif 000019
【図１２】
0003806992.tif 000020
【図１３】
0003806992.tif 000021
【図１４】
0003806992.tif 000022
【図１５】
0003806992.tif 000023
【図１６】
0003806992.tif 000024
【図１７】
0003806992.tif 000025
【図１８】
0003806992.tif 000026
【図１９】
0003806992.tif 000027
【図２０】
0003806992.tif 000028
【図２１】
0003806992.tif 000029